(57)【要約】      （修正有）【課題】精度が高精度かつ寿命が長い圧力検知装置を提供する。【解決手段】内部に通路空間１３を有する通路ケース１と、通路ケースとの間に収納空間が形成される固定台座２と、収納空間に設置される検知手段と、収納空間に充填されて検知手段と固定台座に挟まれるシール部材４と、給電モジュール５を含み、通路空間からの被測定流体を外部空間に拡散しないようにする。検知手段の回路基板３１も被測定流体と直接に接触することなく、圧力検知の精度を高め、装置の寿命を高めることができる。【選択図】図４
0003199917.tif 000002
【実用新案登録請求の範囲】
【請求項１】
内部に通路空間を有し、被測定流体を導入させるようにガイドバルブが前記通路空間の第一端に設置されて、前記通路空間に接続されるガイド孔が側壁に形成される通路ケースと、
前記通路ケースの外側に設置されて前記ガイド孔を囲んで被覆し、前記通路ケースとの間に収納空間が形成される固定台座と、
回路基板及び前記回路基板に設置される検知モジュールを有して、前記検知モジュールが前記被測定流体の圧力を測定するように前記ガイド孔に連接する検知ノッチを具する検知部を有して前記収納空間に設置される検知手段と、
前記収納空間に充填されて前記検知手段と前記固定台座に挟まれ、前記検知ノッチと前記ガイド孔で連接形成された検知通路が前記回路基板及び外部空間から遮断されるように前記検知部及び前記ガイド孔の周縁を被覆するシール部材と、
前記固定台座に設置されて前記回路基板に連接される給電モジュール
を含むことを特徴とする圧力検知装置。
【請求項２】
前記固定台座が前記シール部材を前記収納空間に充填させるように外部空間と前記収納空間との間に連接される充填孔を有し、かつ前記充填孔には固定ボルトが貫設されて、前記収納空間を通過して前記固定台座及び前記通路ケースに連接させることにより前記固定台座を前記通路ケースと固定させることを特徴とする請求項１に記載する圧力検知装置。
【請求項３】
前記検知手段がさらに前記検知ノッチと前記ガイド孔の間に設置されるソケット部材を有することを特徴とする請求項１に記載する圧力検知装置。
【請求項４】
前記通路ケースの側壁の外表面には凹みを有し、かつ前記ガイド孔が前記凹みに位置されることを特徴とする請求項１に記載する圧力検知装置。
【請求項５】
前記検知手段がさらに前記回路基板に設置されるワイヤレスモジュールを含み、かつ前記ワイヤレスモジュールが前記回路基板の水平方向と実質的に垂直な方向に沿って、下に前記通路ケースまで延伸されるアンテナを有することを特徴とする請求項１に記載する圧力検知装置。
【請求項６】
前記アンテナが前記固定台座の周縁に沿って囲むように延伸する円弧部を有することを特徴とする請求項５に記載する圧力検知装置。
【請求項７】
前記通路ケースの第二端に充填バルブが設置されることを特徴とする請求項１に記載する圧力検知装置。
【請求項８】
前記固定台座を覆うカバーをさらに含み、前記固定台座が雄ねじを有し、前記カバーが前記雄ねじに対応する雌ねじを有し、前記カバーが前記固定台座に螺合されることを特徴とする請求項１に記載する圧力検知装置。
【考案の詳細な説明】
【技術分野】
【０００１】
本考案は精度が高精度かつ寿命が長い圧力検知装置に関する。
【背景技術】
【０００２】
圧力検知装置とは圧力を測る装置であり、一般的に装置を計測対象と連通させて、装置内の検知手段で圧力検知装置の中に導入される気体に対して圧力の測定を行うことにより計測対象の内部の圧力を計測する。しかしながら、検知装置の部材はそれぞれの間に隙間が形成しやすく、気体がこれらの隙間から漏れる故に正確な圧力を計測できなくなる。また、圧力検知装置の内部における回路部分も計測対象に含まれた水分や他の腐食性成分により浸食されることで、回路の損傷を引き起こし、計測の精度に影響を及ばすと同時に圧力検知装置の寿命を減らすことになる。
【考案の概要】
【考案が解決しようとする課題】
【０００３】
故に、前述の問題を鑑みて、本考案の目的として精度が高精度かつ寿命が長い圧力検知装置を提供する。
【課題を解決するための手段】
【０００４】
本考案が従来の技術問題を解決する技術手段として、内部に通路空間を有し、被測定流体を導入させるようにガイドバルブが前記通路空間の第一端に設置されて、前記通路空間に接続されるガイド孔が側壁に形成される通路ケースと、
前記通路ケースの外側に設置されて前記ガイド孔を囲んで被覆し、前記通路ケースとの間に収納空間が形成される固定台座と、
回路基板及び前記回路基板に設置される検知モジュールを有して、前記検知モジュールが前記被測定流体の圧力を測定するように前記ガイド孔に連接する検知ノッチを具する検知部を有して前記収納空間に設置される検知手段と、
前記収納空間に充填されて前記検知手段と前記固定台座に挟まれ、前記検知ノッチと前記ガイド孔で連接形成された検知通路が前記回路基板及び外部空間から遮断されるように前記検知部及び前記ガイド孔の周縁を被覆するシール部材と、
前記固定台座に設置されて前記回路基板に連接される給電モジュール
を含むことを特徴とし、ガス漏れを防ぐことができる圧力検知装置を提供する。
【０００５】
本考案の一つの実施形態では前記固定台座が前記シール部材を前記収納空間に充填させるように外部空間と前記収納空間との間に連接される充填孔を有し、かつ前記充填孔には固定ボルトが貫設されて、前記収納空間を通過して前記固定台座及び前記通路ケースに連接させることにより前記固定台座を前記通路ケースと固定させることを特徴とする圧力検知装置である。
【０００６】
本考案の一つの実施形態では前記検知手段がさらに前記検知ノッチと前記ガイド孔の間に設置されるソケット部材を有することを特徴とする圧力検知装置である。
【０００７】
本考案の一つの実施形態では前記通路ケースの側壁の外表面には凹みを有し、かつ前記ガイド孔が前記凹みに位置されることを特徴とする圧力検知装置である。
【０００８】
本考案の一つの実施形態では前記検知手段がさらに前記回路基板に設置されるワイヤレスモジュールを含み、かつ前記ワイヤレスモジュールが前記回路基板の水平方向と実質的に垂直な方向に沿って、下に前記通路ケースまで延伸されるアンテナを有することを特徴とする圧力検知装置である。
【０００９】
本考案の一つの実施形態では前記アンテナが前記固定台座の周縁に沿って囲むように延伸する円弧部を有することを特徴とする圧力検知装置である。
【００１０】
本考案の一つの実施形態では前記通路ケースの第二端に充填バルブが設置されることを特徴とする圧力検知装置である。
【００１１】
本考案の一つの実施形態では前記固定台座を覆うカバーをさらに含み、前記固定台座が雄ねじを有し、前記カバーが前記雄ねじに対応する雌ねじを有し、前記カバーが前記固定台座に螺合されることを特徴とする圧力検知装置である。
【考案の効果】
【００１２】
本考案の技術手段により、本考案が提供した圧力検知装置は流体が部材の間の隙間から漏れないような構成になっていて、圧力の測定の精度を高めることから、組み立て段階ではそれほど精度を考慮せずに進ませることで生産コストを抑えることができる。そして、測定対象には検知モジュールしか接触せず、かつ回路基板に拡散しないことで、回路基板の湿気によるダメージを抑えて、圧力検知装置の寿命を長くして、かつ回路基板が異常による誤差を引き起こさないようにする。
【図面の簡単な説明】
【００１３】
【図１】本考案の一つの実施形態の圧力検知装置を示す図である。
【図２】本考案の実施形態の圧力検知装置の分解図である。
【図３】本考案の実施形態の圧力検知装置の組立状態を示す図である。
【図４】本考案の実施形態の圧力検知装置を断面図である。
【考案を実施するための形態】
【００１４】
以下の実施形態及び添付した図面により、本考案で採用された具体実施形態をさらに説明する。
【００１５】
以下は図１〜図４に基いて、本考案の実施形態について説明する。該当説明は本考案の実施形態の一つの例示にすぎず、本考案の実施形態を限定するものではない。
【００１６】
図１から図４が示すように、本考案の圧力検知装置１００は通路ケース１と、固定台座２と、検知手段３と、シール部材４と、給電モジュール５とカバー６とを含む。
【００１７】
通路ケース１は被測定流体を収納した被測定対象に連接されるように内部に通路空間１３を有する中空ケースであり、被測定流体を検知手段３に導入させる。被測定流体を通路空間１３に導入させるようにガイドバルブ１１が前記通路空間１３の第一端に設置される。通路ケース１の側壁には前記通路空間１３に接続されるガイド孔１４が形成される。
【００１８】
固定台座２は通路ケース１の外側に設置されて、検知手段３、給電モジュール５は固定台座２によって通路ケースの端に固定設置される。固定台座２はガイド孔１４を囲んで被覆し、通路ケース１との間に収納空間２３が形成される。固定台座２の周縁は溝が形成されており、ゴム輪２４をその溝に結合させることで、収納空間２３をより密閉させて、かつ外部空間から遮断させる。
【００１９】
検知手段３は収納空間２３に設置されて、回路基板３１及び回路基板３１に設置される検知モジュール３２を有する。検知モジュール３２は検知ノッチ３２１ａを有して、検知ノッチ３２１ａは被測定流体を通過させるようにガイド孔１４に連接して検知通路Ｐを形成させる。即ち被測定流体は通路１１１から通路空間１３に進入した後、検知通路Ｐに通じて検知部３２１に進入し、これにより検知モジュールが被測定流体の圧力を測定する。被測定流体は気体に限らず、液体または気体と液体の混合物でもよい。
【００２０】
通常、被測定流体を収納した被測定対象の容量に比べると、圧力検知装置１００が収納できる被測定流体の量は極めて少ない故に圧力検知装置１００の容量が被測定流体の圧力に対する影響は無視してもよく、被測定流体が圧力検知装置１００の内部で安定した後、検知手段３によって正確に圧力を測定することができる。
【００２１】
図４を参照してもらうと、図４は組立てた圧力検知装置１００の断面図がある。シール部材４は収納空間２３に充填されて検知手段３と固定台座２に挟まれる。シール部材４は検知ノッチ３２１ａとガイド孔１４で連接形成された検知通路Ｐが回路基板３１及び外部空間から遮断されるように検知部３２１及びガイド孔１４の周縁を被覆する。
【００２２】
給電モジュール５は検知手段３に電力を提供するために固定台座２に設置されて回路基板３１に連接される。給電モジュール５は第一伝導性部材５１、第二伝導性部材５２、バッテリー５３を含む。第一伝導性部材５１の一端及び第二伝導性部材５２の一端はそれぞれ固定台座２を通過し回路基板３１まで伸ばされ、回路基板３１と電気的に接続される。そして第一伝導性部材５１の他方及び第二伝導性部材５２の他方はそれぞれバッテリーの二つの電極と電気的に接続される。
【００２３】
カバー６を固定台座２や給電モジュール５などの部材を覆うように固定台座２に覆うことによって、これらの部材が外部空間と直接に接触して破損することを防ぎ、さらに、固定台座２が雄ねじを有し、カバー６が雄ねじに対応する雌ねじを有することによって、カバー６が固定台座２に螺合されることができる。
【００２４】
図３を参照してもらうと、固定台座２はさらにシール部材４を収納空間２３に充填させるように外部空間と収納空間２３との間に連接される充填孔２１を有する。かつ充填孔２１には固定ボルト２２が貫設されて、固定ボルト２２は収納空間２３を通過して固定台座２及び通路ケース１に連接させることにより固定台座２を通路ケース１と固定させる。本実施形態において、固定ボルト２２は雄ねじであり、充填孔２１は雌ねじであったが、本考案はこれに限らない。
【００２５】
シール部材４が組み立てることによって収納空間２３に充填されることについて、以下更なる説明をする。固定台座２に設置される充填孔２１及びそれと対応する固定ボルト２２は複数であってもよく、組み立てる時に、まずは図３に示した部材を組み立てる。複数の充填孔２１が対応する固定ボルト２２に貫設されて、かつ一つの充填孔２１を保留して対応する固定ボルト２２を貫設しないようにする。続いて、まだ固定ボルト２２を貫設していない充填孔２１を充填材の注入孔として、シール材を充填孔２１を通じて収納空間２３に入れる。シール材が完全に凝固する前に固定ボルト２２を注入孔とされた充填孔２１に貫設させて、シール材が凝固すれば、シール部材４が形成される。最後に固定台座２の上に給電モジュール５及びカバー６を装着させると、完成する。
【００２６】
検知手段３はさらに被測定流体がガイド孔１４を通じて通路空間１３から離れる時、収納空間２３に拡散することなく検知通路Ｐを通じて検知ノッチ３２１ａに進入させるように、検知ノッチ３２１ａと前記ガイド孔１４の間に設置され、検知通路Ｐを囲むソケット部材３４を有する。シール部材４をソケット部材３４と通路ケース１の接触面をより完全に封止できるように、通路ケース１の側壁の外表面は溝部１５を有し、溝部１５の内周縁はソケット部材３４の周縁より僅かに大きく、かつガイド孔１４は溝部１５に設置される。ソケット部材３４を溝部１５に組み合せると、前述シール材が収納空間に入る時、最初は低い位置にいる溝部に流れやすく、そしてソケット部材３４の接触面の周りに蓄積する。シール材が凝固してシール部材４を形成すると、シール部材４がソケット部材３４と通路ケース１の接触面を封止することができる。
【００２７】
検知手段３はさらに回路基板３１に設置されるワイヤレスモジュール３５を含み、ワイヤレスモジュール３５は回路基板３１の水平方向と実質的に垂直な方向に沿って、下に通路ケース１まで延伸され、棒状アンテナを形成するアンテナ３５１を有する。ワイヤレスモジュール３５は検知手段３が計測したデータをワイヤレス伝送でアンテナ３５１によって伝送して、圧力検知装置１００をワイヤレス圧力検知装置にする。
【００２８】
アンテナ３５１は直線状のロッド部３５１ａの他に、さらに固定台座の周縁に沿って囲むように延伸する円弧部３５１ｂを有することができる。円弧部３５１ｂによって、ワイヤレスモジュール３５が発信した信号は増幅して、より簡単に外部装置に受信される。
【００２９】
通路ケースの第二端に充填バルブ１２がさらに設置されることにより、本考案の圧力検知装置１００がデュアルチャンネル圧力検知装置になる。即ち、圧力検知装置１００は第二端から補充流体を補充できて、補充流体を第二端から圧力検知装置１００を通じて第一端に連接される被測定目標に進入する。他にも、圧力検知装置１００は第二端で被測定目標の流体を圧力検知装置１００を通じて外部空間に排出させる。これにより、圧力検知装置１００は圧力検知に配合して被測定目標の圧力を調節することができる。充填バルブは流体を補充または排出の制御に使う。
【００３０】
前述の構成によって、本考案が提供する圧力検知装置１００は流体が部材の間の隙間から漏れないように構成されていて、圧力の測定の精度を高めることから、組み立て段階ではそれほど精度を考慮せずに進ませることで生産コストを抑えることができる。そして、測定対象はガイド孔１４から離れると検知通路Ｐに進入し、ソケット部材３４が検知通路Ｐを囲み、そしてシール部材４が収納空間２３に充填される。以上の条件で被測定流体が回路基板３１に拡散しないようにして、回路基板３１が湿気によるダメージを抑えて、圧力検知装置１００の寿命を長くして、かつ回路基板３１が異常による誤差を引き起こさないようにする。以上を鑑みて、本考案が提出する圧力検知装置１００は従来の技術が達成できなかった利点がある。
【００３１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の特許請求の範囲は、このような変更や修正を含めて広く解釈されるべきである。
【符号の説明】
【００３２】
１００  圧力検知装置
１  通路ケース
１１  ガイドバルブ
１１１  通路
１２  充填バルブ
１３  通路空間
１４  ガイド孔
１５  溝部
２  固定台座
２１  充填孔
２２  固定ボルト
２３  収納空間
２４  ゴム輪
３  検知手段
３１  回路基板
３２  検知モジュール
３２１  検知部
３２１ａ  検知ノッチ
３４  ソケット部材
３５  ワイヤレスモジュール
３５１  アンテナ
３５１ａ  ロッド部
３５１ｂ  円弧部
４  シール部材
５  給電モジュール
５１  第一伝導性部材
５２  第二伝導性部材
５３  バッテリー
６  カバー
Ｐ  検知通路
【図１】
0003199917.tif 000003
【図２】
0003199917.tif 000004
【図３】
0003199917.tif 000005
【図４】
0003199917.tif 000006